(57)【特許請求の範囲】
【請求項１】
光を出射する光出射部を有する器具本体と；
前記器具本体の前記光出射部の周囲に回動可能に設けられたバンドア枠、このバンドア枠に設けられた羽根、および前記バンドア枠を前記器具本体に対して回動させる駆動部を有するバンドアと；
前記器具本体側から前記バンドアに接続されるケーブルと；
前記ケーブルに連結され、回動する前記バンドアに対して前記ケーブルを前記器具本体側に引き寄せる引寄せ機構と；
を具備することを特徴とする照明装置。
【請求項２】
前記器具本体に設けられ、前記ケーブルが挿通するケーブルガイドを具備する
ことを特徴とする請求項１記載の照明装置。
【請求項３】
前記引寄せ機構は、前記ケーブルに連結される連結線、およびこの連結線を巻き取る巻取部を有し、前記巻取部は前記器具本体の前記ケーブルガイドに対向する位置に設けられている
ことを特徴とする請求項２記載の照明装置。
【請求項４】
前記バンドアは、前記器具本体に対して回動する範囲の中間位置に位置する前記バンドアが前記ケーブルガイドに対向する位置に、前記ケーブルを前記バンドアに保持するケーブル保持部を有する
ことを特徴とする請求項２または３記載の照明装置。
【発明の詳細な説明】
【技術分野】
【０００１】
本発明の実施形態は、バンドアを備えた照明装置に関する。
【背景技術】
【０００２】
テレビスタジオや舞台で使用される演出用の照明装置では、光の照射範囲を制限するためのバンドアを用いたものがあり、さらに、運用の効率化や安全面から、遠隔操作で光の照射方向やバンドアによる光の照射範囲を制御できるようにしたものがある。
【０００３】
バンドアは、器具本体の光出射部の周囲に回動可能に設けられるバンドア枠を備え、このバンドア枠に４枚の羽根が回動可能に取り付けられている。そして、バンドアは、器具本体に対してバンドア枠を回動させるバンドア枠用の駆動部、および各羽根をそれぞれ回動させる羽根用の駆動部を備えている。器具本体側からバンドア側に電源や制御信号を供給するために、器具本体側からバンドアにケーブルを接続している。
【０００４】
そして、バンドアを器具本体に対して回動させることにより、４枚の羽根で照射範囲が制限された照射光の角度を変えることができる。バンドアの回動時には、バンドアに連結されているケーブルの連結部分も一緒に動くため、バンドアの回動に合わせて、バンドアと器具本体側との間で必要なケーブルの引出し長さが変化する。
【０００５】
ケーブルの長さは引出し長さが最大となるバンドアの回動位置に対応して設定されているため、引出し長さが最小となるバンドアの回動位置では、ケーブルの長さが余り、ケーブルが周辺へはみ出してしまう。ケーブルがバンドアの周辺からはみ出した場合には、照射方向を変えるために器具本体を動かす際、ケーブルが周辺のセットや他の照明装置に引っ掛かるおそれがある。また、ケーブルが下方へ垂れるようにはみ出した場合、撮影時にケーブルが画面上に映り込むおそれがある。
【先行技術文献】
【特許文献】
【０００６】
【特許文献１】特開２０１３−７７４９０号公報
【発明の概要】
【発明が解決しようとする課題】
【０００７】
本発明が解決しようとする課題は、ケーブルの長さが余るときに、ケーブルが周辺へはみ出すのを防止することができる照明装置を提供することである。
【課題を解決するための手段】
【０００８】
実施形態の照明装置は、器具本体、バンドア、ケーブルおよび引寄せ機構を備える。器具本体は、光を出射する光出射部を有する。バンドアは、器具本体の光出射部の周囲に回動可能に設けられたバンドア枠、バンドア枠に設けられた羽根、およびバンドア枠を器具本体に対して回動させる駆動部を有する。ケーブルは、器具本体側からバンドアに接続される。引寄せ機構は、ケーブルに連結され、回動するバンドアに対してケーブルを器具本体側に引き寄せる。
【発明の効果】
【０００９】
本発明によれば、ケーブルの長さが余るときに、ケーブルが周辺へはみ出すのを防止することが期待できる。
【図面の簡単な説明】
【００１０】
【図１】一実施形態を示す照明装置の側面図である。
【図２】同上照明装置のバンドアが右回りに回動した側面図である。
【図３】同上照明装置の正面図である。
【図４】同上照明装置のバンドアとケーブルガイドとの位置関係を示し、(a)はバンドアが定位置の正面図、(b)はバンドアが右回りに回動した正面図、(c)はバンドアが左回りに回動した正面図である。
【発明を実施するための形態】
【００１１】
以下、一実施形態を、図１ないし図４を参照して説明する。
【００１２】
図１ないし図３に示すように、照明装置10は、例えばスタジオや舞台などで演出に用いられるものである。照明装置10は、器具本体11、器具本体11を支持する支持フレーム12、および器具本体11に取り付けられたバンドア13を備えている。
【００１３】
器具本体11は、筒状の筐体20を有し、この筐体20内に光源やレンズなどの光学系が配設され、筐体20の前面に光が出射する照射開口が形成されている。すなわち、器具本体11の前面に、光源からの光が出射する光出射部21が形成されている。光源は、ＬＥＤなどの発光素子や、ハロゲンランプなど、いずれを用いてもよい。そして、器具本体11では、モータなどの駆動部によってレンズまたは光源を光軸方向に移動させ、照明装置10から照射する光の大きさを制御する。
【００１４】
器具本体11の前面には、カラーフィルタを透過させて照明光の色を調整するカラーチェンジャ22が配設されている。
【００１５】
器具本体11の前端および後端の下面には、器具本体11を床面などに載置する際の脚部23，24がそれぞれ設けられている。
【００１６】
前側の脚部23は、ケーブルガイド25として兼用されている。図４に示すように、ケーブルガイド25は、ガイド板26、およびこのガイド板26の内側に形成された円形の挿通孔27を備えている。なお、ガイド板26から突出する円筒状のガイド筒を設け、このガイド筒の内側に挿通孔27を形成してもよい。
【００１７】
また、支持フレーム12は、上側の支持部30、およびこの支持部30の両側から下方へ突出するアーム部31を有する断面略コ字形に形成されている。
【００１８】
支持フレーム12の上部には、スタジオのバトンに取付部材を介して設置される垂直軸32が突設されている。そして、モータなどの駆動部によって、垂直軸32を中心として器具本体11を回動させ、照明装置10から光を照射する水平照射方向を制御する。
【００１９】
両側のアーム部31間に器具本体11が配置され、各アーム部31から突出する水平軸33によって器具本体11を回動可能に支持している。そして、モータなどの駆動部によって、水平軸33を中心として器具本体11を回動させ、照明装置10から光を照射する垂直照射方向を制御する。
【００２０】
支持フレーム12は、バトン側から電源線および信号線によって電源および信号が入力し、これら電源および信号を器具本体11およびバンドア13にそれぞれ出力する。
【００２１】
また、バンドア13は、器具本体11の前面に取り付けられる取付部40、この取付部40によって器具本体11の光出射部21の周囲に回動可能に設けられるバンドア枠41、このバンドア枠41にそれぞれ回動可能に取り付けられた複数の羽根42、バンドア枠41を器具本体11に対して回動させる駆動部（バンドア枠回動用駆動部）43および各羽根42をそれぞれ回動させる複数の駆動部（羽根回動用駆動部）44を備えている。
【００２２】
バンドア13には、取付部40およびバンドア枠41の内側に、器具本体11の光出射部21から出射された光が通過する開口部45が形成されている。
【００２３】
バンドア枠41は、取付部40に回動可能に支持されている。バンドア枠41は、環状で、外形状が略四角形状に形成されている。バンドア枠41内には、外部電源の供給を受けて各駆動部43，44に所定の駆動電源を供給する電源回路、および外部から信号を入力して各駆動部43，44を制御するように配設されている。
【００２４】
羽根42は、４枚であり、バンドア枠41の各辺にそれぞれ回動可能に取り付けられている。これら羽根42が閉じる方向に回動させることにより、照明光の照射範囲を制限する。
【００２５】
駆動部43は、取付部40またはバンドア枠41に取り付けられ、バンドア枠41を器具本体11に対して回動させる。そして、駆動部43により、バンドア枠41が器具本体11に対して回動可能とする範囲の中間位置を定位置とし、この定位置から左回り（図３時反計回り）および右回り（図３時計回り）にそれぞれ所定角度の範囲で回動させる。所定角度は、例えば左右９０°である。
【００２６】
駆動部44は、バンドア枠41に取り付けられ、各羽根42をそれぞれ回動させる。
【００２７】
また、器具本体11側からバンドア13にケーブル50が接続されている。ケーブル50は、電源線および信号線を１本にまとめたもので、バンドア13に電源を供給し、信号を伝送する。
【００２８】
ケーブル50の一端は、器具本体11側であって、支持フレーム12の一方のアーム部31の背面に連結されており、支持フレーム12に配設される端子装置に電気的に接続されている。なお、ケーブル50の一端が連結された支持フレーム12の箇所をケーブル引出部51という。
【００２９】
ケーブル50の他端は、バンドア枠41が定位置に位置するときに下側一側に位置する隅部に連結されており、バンドア枠41内に配設される電源回路および制御回路に電気的に接続されている。
【００３０】
ケーブル50の途中は、ケーブルガイド25の挿通孔27に挿通されている。
【００３１】
ケーブル50の途中は、ケーブル保持部52によってバンドア13に保持されている。ケーブル保持部52は、バンドア枠41が定位置に位置するときに、バンドア枠41のケーブルガイド25に対向する位置に、ケーブル50の中間位置を保持する。ケーブル50は、ケーブル50がバンドア枠41に結合された位置とケーブル保持部52に保持された位置との間で、バンドア枠41の周面に沿って弛みなく沿わされている。
【００３２】
また、照明装置10は、ケーブル50に連結され、回動するバンドア13に対してケーブル50を器具本体11側に引き寄せる引寄せ機構55を備えている。引寄せ機構55は、ケーブル50に連結される連結線56、およびこの連結線56を巻き取る巻取部57を有している。
【００３３】
連結線56は、例えばワイヤであり、先端がケーブル50の例えば中間位置に連結されている。ケーブル50に連結される連結線56の連結部56aは、バンドア枠41が定位置に位置するときでも引寄せ機構55による引寄せ作用が働くような位置に設定されている。
【００３４】
巻取部57は、器具本体11のケーブルガイド25に対向する位置であって、後側の脚部24の近傍で器具本体11の下面側に配設されている。巻取部57は、ばねによって連結線56を常に巻き取る方向に付勢されている。
【００３５】
次に、照明装置10の動作を説明する。
【００３６】
図１および図４(a)にはバンドア13が定位置に位置する状態を示し、図２および図４(b)にはバンドア13が定位置から右回り（反時計回り）に９０°回動した状態を示し、図４(c)にはバンドア13が定位置から左回り（時計回り）に９０°回動した状態を示す。
【００３７】
バンドア13が定位置に位置するときには、ケーブルガイド25からケーブル保持部52までの距離が最も短く、また、バンドア13が定位置から回動することにより、ケーブルガイド25からケーブル保持部52までの距離が長くなる。
【００３８】
そのため、バンドア13が定位置から回動することにより、ケーブル保持部52によって、ケーブルガイド25からバンドア13側にケーブル50が引き出される。そして、バンドア13が定位置から最も回動した位置で、ケーブルガイド25からバンドア13側にケーブル50が最も引き出される。したがって、ケーブル引出部51とケーブル保持部52との間のケーブル50の長さは、ケーブルガイド25からバンドア13側にケーブル50が最も引き出されるときに対応した長さに設定されている。
【００３９】
また、引寄せ機構55によって、常に、ケーブル50を器具本体11の後部側に引き寄せている。
【００４０】
そのため、図１および図４(a)に示すように、バンドア13が定位置に位置するときには、ケーブル引出部51とケーブル保持部52との間でケーブル50の長さが余るが、引寄せ機構55で連結線56を巻き取ってケーブル50の中間を器具本体11の後部側に引き寄せるため、ケーブル50が垂れ下がったり周辺へはみ出すのを防止できる。
【００４１】
さらに、図２、図４(b)および図４(c)に示すように、バンドア13が定位置から回動したときに、ケーブルガイド25からバンドア13側に引き出されたケーブル50は、引寄せ機構55によって引っ張られているため、バンドア枠41の周囲や器具本体11の周囲に沿わされ、垂れ下がったり周辺へはみ出すのを防止できる。
【００４２】
そして、本実施形態の照明装置10によれば、引寄せ機構55を備えることにより、ケーブル50の長さが余るときに、ケーブル50が周辺へはみ出すのを防止することができる。
【００４３】
また、ケーブルガイド25を備えることにより、バンドア13の回動時にバンドア13側に引き出されるケーブル50の引出位置が一定となり、ケーブル50をバンドア13の周囲に沿わせることができ、さらに、バンドア13が回動位置から定位置に戻るときにケーブルガイド25を経由することで、引寄せ機構55による安定したケーブル50の引き寄せ動作をすることができる。
【００４４】
また、引寄せ機構55は器具本体11のケーブルガイド25に対向する位置に設けられるため、引寄せ機構55によって安定したケーブル50の引き寄せ動作をすることができる。
【００４５】
さらに、引寄せ機構55は、連結線56を巻き取る巻取部57を備えただけの例えばコンストンバネを使用するような簡単な構成で実現できる。そのため、ワイヤの先端部にカナビラなどを取り付け脱着可能な構造とすることで、引寄せ力が低下したり、ワイヤが切れたときに簡単に交換が可能となる。
【００４６】
また、ケーブル保持部52によって、バンドア13が定位置に位置するときに、バンドア13のケーブルガイド25に対向する位置に、ケーブル50の中間位置を保持するため、バンドア13が定位置から右回りまたは左回りのいずれの方向に同じ角度回動しても、ケーブルガイド25から引き出されるケーブル50の長さを同じにすることができ、ケーブル引出部51とケーブル保持部52との間のケーブル50の長さの設定、巻取部57の位置の設定、ケーブル50に連結する連結線56の連結部56aの位置の設定を容易にすることができる。
【００４７】
なお、引寄せ機構55は、巻取構造に限らず、ばねやゴムなどの弾性体を用いてもよい。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
10    照明装置
11    器具本体
13    バンドア
21    光出射部
25    ケーブルガイド
41    バンドア枠
42    羽根
43    駆動部
50    ケーブル
52    ケーブル保持部
55    引寄せ機構
56    連結線
57    巻取部
【図１】
0006547953.tif 000002
【図２】
0006547953.tif 000003
【図３】
0006547953.tif 000004
【図４】
0006547953.tif 000005